(57)【要約】      （修正有）【課題】通気部を浴室側から開閉可能とし、使い勝手を向上させた建具を提供する。【解決手段】浴室と脱衣室との間に設置される建具１０であって、前記浴室と前記脱衣室とを連通させる開口部２２を有する枠体２０と、枠体２０に軸支される軸支部３３と、軸支部３３から横方向に離れた位置に設けられた戸先部と、を有し、枠体２０に対して軸支部３３を軸４６に浴室側へ動くことで開口部２２を開閉可能に支持される折り戸又は開き戸である障子３０と、枠体２０と軸支部３３との間に設けられ、障子３０で仕切られる浴室側と脱衣室側とを連通させる通気部４０と、通気部４０を開閉する開閉部材４２と、開閉部材４２を開閉動作させるための操作部４４と、を備え、開閉部材４２は、障子３０の軸支部３３から延出するように設けられ、操作部４４は、軸支部３３の浴室側に設けられている。【選択図】図３
2019143437.tif 000002
【特許請求の範囲】
【請求項１】
浴室と脱衣室との間に設置される建具であって、
前記浴室と前記脱衣室とを連通させる開口部を有する枠体と、
前記枠体に軸支される軸支部と、前記軸支部から横方向に離れた位置に設けられた戸先部と、を有し、前記枠体に対して前記軸支部を軸に前記浴室側へ動くことで前記開口部を開閉可能に支持される折り戸又は開き戸である障子と、
前記枠体と前記軸支部との間に設けられ、前記障子で仕切られる前記浴室側と前記脱衣室側とを連通させる通気部と、
前記通気部を開閉する開閉部材と、
前記開閉部材を開閉動作させるための操作部と、
を備え、
前記開閉部材は、前記障子の前記軸支部から延出するように設けられ、
前記操作部は、前記軸支部の前記浴室側に設けられていることを特徴とする建具。
【請求項２】
前記開閉部材は、前記通気部を閉じた閉状態において、前記枠体の内側且つ前記枠体の前記浴室側の内壁に当接するように構成されたことを特徴とする請求項１記載の建具。
【請求項３】
前記開閉部材は、前記閉状態において前記枠体に当接する当接部を有し、
前記障子の前記軸支部の回転軸から前記当接部までの最長の距離は、前記回転軸から前記枠体における前記軸支部と向かい合う面までの最短の距離よりも短いことを特徴とする請求項２記載の建具。
【請求項４】
前記開閉部材は、前記通気部を閉じた閉状態において、前記枠体の外側且つ前記枠体の前記脱衣室側の外壁に当接するように構成されたことを特徴とする請求項１記載の建具。
【請求項５】
前記開閉部材は、前記閉状態において前記枠体に当接する当接部を有し、
前記操作部は、前記障子が前記開口部を閉じ、且つ前記開閉部材が前記通気部を閉じた状態において、前記当接部よりも前記枠体から離れ、前記当接部に対して横方向において所定間隔離れた位置に設置されていることを特徴とする請求項４記載の建具。
【請求項６】
前記障子は、前記開口部を閉じた状態において前記軸支部から前記枠体に向かって延出し、少なくとも一部が前記通気部内に位置する延出部を有することを特徴とする請求項４又は５に記載の建具。
【請求項７】
前記軸支部の前記脱衣室側に設けられ、前記操作部に連動する連動部をさらに備えたことを特徴とする請求項１〜６のいずれか１つに記載の建具。
【請求項８】
前記軸支部は、前記開閉部材の上端及び下端の少なくとも一方に対応して設けられ、前記開閉部材の開閉動作をガイドするガイド部を有することを特徴とする請求項１〜７のいずれか１つに記載の建具。
【発明の詳細な説明】
【技術分野】
【０００１】
本発明の態様は、一般的に、建具に関する。
【背景技術】
【０００２】
浴室と脱衣室との間の開口部に設置される折り戸や開き戸の建具がある。こうした建具において、浴室内での換気扇などの駆動に応じて脱衣室側から自動的に浴室内に通気するための通気部（換気経路）を設けることが知られている。
【０００３】
一方で、例えば、浴室内に湯水を噴霧することで、ミストサウナを楽しめる浴室も知られている。ミストサウナを実施するためには、上述した通気部を閉じ、ミストが脱衣室側に出ないようにしなければ、脱衣室側にミストが充満してしまい、脱衣室が濡れてしまったり、カビなどの発生の原因となったりしてしまう可能性がある。従って、通気部を開閉する開閉部材及びこの開閉部材を動作させるための操作部が必要である。
【０００４】
通気部を開閉する開閉部材を動作させるための操作部を建具の脱衣室側に設けると、例えば、入浴者が入浴途中にミストサウナを動作させようとした場合に、ミストサウナを実施するために一度脱衣室に移動しなければならず、非常に使い勝手が悪い。
【０００５】
また、浴室と脱衣室との間の開口部に設置される折り戸や開き戸は、浴室使用後の折り戸や開き戸の浴室側の表面に付着した水滴が脱衣室側に垂れてしまうことを抑制するために、浴室内方向へ向かうような動きで開く必要がある。このことから、操作部を建具の浴室側に設けるためには、通気部を開閉する開閉部材及び操作部の構造に工夫を加える必要がある。
【先行技術文献】
【特許文献】
【０００６】
【特許文献１】特開２０１５−２２７５６３号公報
【発明の概要】
【発明が解決しようとする課題】
【０００７】
本発明は、かかる課題の認識に基づいてなされたものであり、通気部を浴室側から開閉可能とし、使い勝手を向上させた建具を提供することを目的とする。
【課題を解決するための手段】
【０００８】
第１の発明は、浴室と脱衣室との間に設置される建具であって、前記浴室と前記脱衣室とを連通させる開口部を有する枠体と、前記枠体に軸支される軸支部と、前記軸支部から横方向に離れた位置に設けられた戸先部と、を有し、前記枠体に対して前記軸支部を軸に前記浴室側へ動くことで前記開口部を開閉可能に支持される折り戸又は開き戸である障子と、前記枠体と前記軸支部との間に設けられ、前記障子で仕切られる前記浴室側と前記脱衣室側とを連通させる通気部と、前記通気部を開閉する開閉部材と、前記開閉部材を開閉動作させるための操作部と、を備え、前記開閉部材は、前記障子の前記軸支部から延出するように設けられ、前記操作部は、前記軸支部の前記浴室側に設けられていることを特徴とする建具である。
【０００９】
この建具によれば、開閉部材が枠体ではなく障子の軸支部から延出するように設けられていることから、障子が開いた際には開閉部材は障子とともに動くことになるため、開閉部材が動いた障子と衝突して破損してしまうことなどを抑制することができる。その上で、操作部は、障子における浴室側の軸支部に設けられているため、入浴者が入浴途中にミストサウナを実施しようとした場合にも、一度脱衣室側に移動する必要がなくなり、使い勝手を向上させることができる。従って、通気部を浴室側から開閉可能とし、使い勝手を向上させた建具を提供することができる。
【００１０】
第２の発明は、第１の発明において、前記開閉部材は、前記通気部を閉じた閉状態において、前記枠体の内側且つ前記枠体の前記浴室側の内壁に当接するように構成されたことを特徴とする建具である。
【００１１】
この建具によれば、開閉部材が動いた障子と衝突して破損してしまうことなどをより確実に抑制することができる。
【００１２】
第３の発明は、第２の発明において、前記開閉部材は、前記閉状態において前記枠体に当接する当接部を有し、前記障子の前記軸支部の回転軸から前記当接部までの最長の距離は、前記回転軸から前記枠体における前記軸支部と向かい合う面までの最短の距離よりも短いことを特徴とする建具である。
【００１３】
この建具によれば、開閉部材が動いた障子と衝突して破損してしまうことなどをより確実に抑制することができる。
【００１４】
第４の発明は、第１の発明において、前記開閉部材は、前記通気部を閉じた閉状態において、前記枠体の外側且つ前記枠体の前記脱衣室側の外壁に当接するように構成されたことを特徴とする建具である。
【００１５】
この建具によれば、開閉部材が動いた障子と衝突して破損してしまうことなどをより確実に抑制することができる。
【００１６】
第５の発明は、第４の発明において、前記開閉部材は、前記閉状態において前記枠体に当接する当接部を有し、前記操作部は、前記障子が前記開口部を閉じ、且つ前記開閉部材が前記通気部を閉じた状態において、前記当接部よりも前記枠体から離れ、前記当接部に対して横方向において所定間隔離れた位置に設置されていることを特徴とする建具である。
【００１７】
この建具によれば、枠体から離れた位置に操作部を設置することにより、指の入る隙間などを適切に確保することができ、操作部をより操作し易くすることができる。また、例えば、操作部の操作中に脱衣所側から誤って障子が開かれた場合にも、入浴者の指が枠体と操作部との間に挟まってしまうことを抑制することができる。
【００１８】
第６の発明は、第４又は第５の発明において、前記障子は、前記開口部を閉じた状態において前記軸支部から前記枠体に向かって延出し、少なくとも一部が前記通気部内に位置する延出部を有することを特徴とする建具である。
【００１９】
この建具によれば、例えば、シャワーから吐水された水など、浴室側からの水が通気部の部分にかかったとしても、通気部を通じて脱衣室側へ入り込んでしまうことを抑制することができる。すなわち、開閉部材が通気部を閉じた閉状態において、枠体の外側且つ枠体の脱衣室側の外壁に当接する建具であっても、少なくとも一部が通気部内に位置する延出部によって、開閉部材が通気部を開いた開状態においても、浴室側からの水が脱衣室側へ入り込んでしまうことを抑制することができる。
【００２０】
第７の発明は、第１〜第６のいずれか１つの発明において、前記軸支部の前記脱衣室側に設けられ、前記操作部に連動する連動部をさらに備えたことを特徴とする建具である。
【００２１】
この建具によれば、脱衣室にいる人が、連動部を視認することで、開閉部材の開閉の状態を認識することができる。例えば、入浴者が入浴中である際に、ミストサウナを実施している可能性があることを、連動部の状態を視認することで、脱衣室にいる人に認識させることができる。これにより、ミストサウナの実施中に誤って障子を開けてしまい、ミストを脱衣室側に漏らしてしまうなどの事態の発生を抑制することができる。さらには、入浴前などに連動部を操作することによって、脱衣室側から開閉部材を操作することもでき、より使い勝手を向上させることができる。
【００２２】
第８の発明は、第１〜第７のいずれか１つの発明において、前記軸支部は、前記開閉部材の上端及び下端の少なくとも一方に対応して設けられ、前記開閉部材の開閉動作をガイドするガイド部を有することを特徴とする建具である。
【００２３】
この建具によれば、ガイド部を設けることにより、開閉部材をスムーズに開閉させることができ、使い勝手をさらに向上させることができる。
【発明の効果】
【００２４】
本発明の態様によれば、通気部を浴室側から開閉可能とし、使い勝手を向上させた建具を提供することができる。
【図面の簡単な説明】
【００２５】
【図１】第１の実施形態に係る建具を模式的に表す正面図である。
【図２】第１の実施形態に係る建具を模式的に表す正面図である。
【図３】図３（ａ）〜図３（ｃ）は、第１の実施形態に係る建具の一部を模式的に表す断面図である。
【図４】第１の実施形態に係る開閉部材を模式的に表す斜視図である。
【図５】第１の実施形態に係る建具の変形例を模式的に表す断面図である。
【図６】図６（ａ）〜図６（ｃ）は、第２の実施形態に係る建具の一部を模式的に表す断面図である。
【図７】第２の実施形態に係る建具の変形例を模式的に表す断面図である。
【図８】第２の実施形態に係る建具の変形例を模式的に表す断面図である。
【発明を実施するための形態】
【００２６】
以下、本発明の実施の形態について図面を参照しつつ説明する。なお、各図面中、同様の構成要素には同一の符号を付して詳細な説明は適宜省略する。
【００２７】
（第１の実施形態）
図１及び図２は、第１の実施形態に係る建具を模式的に表す正面図である。  
図１及び図２に表したように、建具１０は、枠体２０と、障子３０と、を備える。建具１０は、浴室と脱衣室との間に設置して使用される浴室用の建具である。
【００２８】
枠体２０は、浴室と脱衣室とを連通させる開口部２２を有する。開口部２２は、例えば、略矩形状である。枠体２０は、例えば、略矩形の枠状である。
【００２９】
障子３０は、第１扉部３１と、第２扉部３２と、を有する。第１扉部３１は、枠体２０に軸支される軸支部３３を有する。軸支部３３は、上下方向を軸に枠体２０に軸支される。第２扉部３２は、軸支部３３から横方向に離れた位置に設けられた戸先部３４を有する。軸支部３３は、換言すれば、障子３０の一方の側端であり、戸先部３４は、換言すれば、障子３０の他方の側端である。障子３０は、枠体２０に対して軸支部３３を軸に浴室側へ動くことで開口部２２を開閉可能に軸支される。
【００３０】
第１扉部３１及び第２扉部３２は、例えば、略矩形の平板状である。第１扉部３１及び第２扉部３２の上下方向の長さは、開口部２２の上下方向の長さと実質的に同じか、僅かに短い程度である。第１扉部３１及び第２扉部３２の横方向の長さは、開口部２２の横方向の長さの半分の長さと実質的に同じか、僅かに短い程度である。これにより、図１に表したように、第１扉部３１と第２扉部３２とを横に並べて配置することで、開口部２２を閉じることができる。
【００３１】
上記のように、軸支部３３は、上下方向を軸に枠体２０に軸支されている。第１扉部３１の軸支部３３と反対側の側端は、第２扉部３２の戸先部３４と反対側の端部と回動可能に接続されている。第２扉部３２の戸先部３４は、上下方向を軸に回動可能、且つ横方向にスライド移動可能に枠体２０に支持されている。これにより、図２に表したように、第１扉部３１を軸支部３３を軸に回動させるとともに、第２扉部３２を回動させながら軸支部３３側にスライド移動させることにより、開口部２２を開くことができる。
【００３２】
このように、障子３０は、開口部２２を閉じる閉じ位置（図１に表した位置）と、開口部２２を開いた開き位置（例えば図２に表した位置）と、に移動する。障子３０で開口部２２を閉じることにより、浴室と脱衣室とを仕切ることができる。そして、障子３０で開口部２２を開くことにより、浴室への入退室が可能になる。
【００３３】
この例において、障子３０は、いわゆる折り戸である。第１扉部３１及び第２扉部３２は、開き位置に移動する際、浴室側（図１及び図２において紙面手前側）に向かって回動する。これにより、障子３０を開いた際に、第１扉部３１及び第２扉部３２の浴室側の面に付着した水滴が、脱衣室側に垂れ落ちてしまうことを抑制することができる。
【００３４】
なお、障子３０は、折り戸に限ることなく、開口部２２の形状に対応した一枚の扉部で開口部２２を開閉する開き戸でもよい。開き戸の場合には、一枚の扉部の一方の側端が軸支部３３となり、他方の側端が戸先部３４となる。また、開き戸の場合も同様に、障子３０は、浴室側に向かって回動する。
【００３５】
図３（ａ）〜図３（ｃ）は、第１の実施形態に係る建具の一部を模式的に表す断面図である。  
図３（ａ）〜図３（ｃ）は、図１のＡ１−Ａ２線断面を模式的に表す。図３（ａ）及び図３（ｂ）は、障子３０が閉じ位置にある状態を模式的に表し、図３（ｃ）は、障子３０が開き位置にある状態を模式的に表す。
【００３６】
図３（ａ）〜図３（ｃ）に表したように、建具１０は、通気部４０と、開閉部材４２と、操作部４４と、をさらに備える。通気部４０は、枠体２０と軸支部３３との間に設けられ、障子３０で仕切られる浴室側と脱衣室側とを連通させる。これにより、例えば、浴室内で換気扇などを駆動した際に、脱衣室側から浴室側へ向かう空気の流れを通気部４０を介して形成し、浴室内の換気効率を向上させることができる。通気部４０は、換言すれば、換気経路である。
【００３７】
開閉部材４２は、障子３０の軸支部３３から延出するように設けられ、通気部４０を開閉する。通気部４０を開いた場合には、前述のように、浴室内の換気効率を向上させることができる。一方、通気部４０を閉じた場合には、例えば、浴室内でミストサウナを実施する際に、ミストが脱衣室側に漏れてしまうことを抑制することができる。
【００３８】
操作部４４は、使用者の操作に応じて開閉部材４２を開閉動作させるための部材である。操作部４４は、軸支部３３の浴室側に設けられている。操作部４４は、例えば、軸支部３３において障子３０を閉じ位置にした状態で浴室側を向く面に設けられる。
【００３９】
開閉部材４２は、図３（ａ）に表したように通気部４０を閉じた閉状態と、図３（ｂ）に表したように通気部４０を開いた開状態と、に移動する。開閉部材４２は、例えば、横方向にスライド移動することにより、閉状態と開状態とに移動する。
【００４０】
操作部４４は、軸４６を介して開閉部材４２と接続されている。操作部４４は、横方向にスライド移動可能に軸支部３３に取り付けられている。これにより、操作部４４を横方向に移動させることよって、軸４６を介して開閉部材４２が横方向に移動し、開閉部材４２が閉状態と開状態とに移動する。
【００４１】
枠体２０のうち、軸支部３３と隣接する隣接部２４は、軸支部３３と反対側に向かって凹む凹状である。隣接部２４は、換言すれば、軸支部３３と対向する面を開放させた四角筒状である。この例では、この隣接部２４の内部の空間が、通気部４０となる。
【００４２】
開閉部材４２は、通気部４０を閉じた閉状態において、枠体２０の内側且つ枠体２０の浴室側の内壁２０ａに当接するように構成されている。換言すれば、開閉部材４２は、通気部４０の浴室側の内壁に当接するように構成されている。
【００４３】
軸支部３３は、例えば、上下方向に延びる四角筒状である。軸支部３３は、開閉部材４２をスライド移動させるためのスリット部３３ａと、操作部４４をスライド移動させるためのスリット部３３ｂと、を有する。スリット部３３ａは、障子３０が閉じ位置にある状態において、通気部４０と対向する面に設けられる。スリット部３３ｂは、障子３０が閉じ位置にある状態において、浴室側を向く面に設けられる。
【００４４】
開閉部材４２は、例えば、第１延出部４２ａと、第２延出部４２ｂと、を有する。第１延出部４２ａは、障子３０が閉じ位置にある状態において、横方向に延びる。第１延出部４２ａの一端は、軸支部３３内に位置する。第１延出部４２ａの他端は、スリット部３３ａを介して軸支部３３の外側まで延びる。第２延出部４２ｂは、障子３０が閉じ位置にある状態において、第１延出部４２ａの他端から前後方向に延びる。この例において、第２延出部４２ｂは、障子３０が閉じ位置にある状態において、浴室側に向かって延びる。
【００４５】
軸４６の一端は、軸支部３３内において第１延出部４２ａと接続されている。軸４６は、障子３０が閉じ位置にある状態において、前後方向に延びる。軸４６の他端は、スリット部３３ｂに挿通され、スリット部３３ｂを介して操作部４４と接続されている。
【００４６】
これにより、障子３０が閉じ位置にある状態において、操作部４４を操作し、開閉部材４２、操作部４４、及び軸４６を紙面左側にスライド移動させることで、第２延出部４２ｂの先端が枠体２０の浴室側の内壁２０ａに当接し、開閉部材４２が閉状態となる。従って、この例では、第２延出部４２ｂの先端が、閉状態において枠体２０に当接する当接部４２ｃとなる。
【００４７】
そして、開閉部材４２が閉状態にある状態において、操作部４４を操作し、開閉部材４２、操作部４４、及び軸４６を紙面右側にスライド移動させることで、第２延出部４２ｂの先端が枠体２０の浴室側の内壁２０ａから離間し、開閉部材４２が開状態となる。
【００４８】
浴室側に向かって延びる第２延出部４２ｂの少なくとも一部は、開閉部材４２を開状態とした時に、通気部４０内に位置する。これにより、開閉部材４２が開状態にある状態において、シャワーから吐水された水など、浴室側からの水が通気部４０の部分にかかったとしても、通気部４０を通じて脱衣室側へ入り込んでしまうことを抑制することができる。
【００４９】
また、第２延出部４２ｂの先端は、障子３０が閉じ位置にあり、且つ開閉部材４２が開状態にある状態において、枠体２０の浴室側の内壁２０ａの脱衣室側の端部２０ｂよりも浴室側に位置する。これにより、通気部４０の部分の水の通り抜けを、より確実に抑制することができる。
【００５０】
障子３０の軸支部３３の回転軸ＲＡから当接部４２ｃまでの最長の距離Ｌ１は、回転軸ＲＡから枠体２０における軸支部３３と向かい合う面までの最短の距離Ｌ２よりも短い。最長の距離Ｌ１は、例えば、開閉部材４２を開状態とした時の、回転軸ＲＡから第２延出部４２ｂの先端までの距離である。このように距離Ｌ１、Ｌ２を設定することにより、開閉部材４２で通気部４０を開閉する場合にも、障子３０の開閉の際に、開閉部材４２が枠体２０などに意図せず接触してしまうことを抑制することができる。
【００５１】
障子３０が閉じ位置にあり、開閉部材４２を開状態とした状態で、操作部４４は、枠体２０から離れた位置に設置されている。これにより、例えば、操作部４４と枠体２０との間に指を挟んでしまうことなどを抑制することができる。例えば、操作部４４の操作性を向上させることができる。
【００５２】
図４は、第１の実施形態に係る開閉部材を模式的に表す斜視図である。  
図４に表したように、開閉部材４２の第１延出部４２ａ及び第２延出部４２ｂは、上下方向に延びる平板状である。換言すれば、開閉部材４２は、断面略Ｌ字の板状である。通気部４０及び開閉部材４２の上下方向の長さは、例えば、軸支部３３の上下方向の長さに対して僅かに短い程度である。通気部４０及び開閉部材４２は、例えば、軸支部３３の上下方向の略全体に設けられる。但し、通気部４０及び開閉部材４２の上下方向の長さは、軸支部３３の上下方向の長さよりも短くてもよい。通気部４０及び開閉部材４２は、枠体２０と軸支部３３との間の少なくとも一部に設けられていればよい。枠体２０と軸支部３３との間の一部は、例えば、パッキンなどで気密性を有するように塞がれていてもよい。通気部４０及び開閉部材４２の上下方向の長さは、例えば、浴室において必要な換気量を満たすことができる任意の長さでよい。
【００５３】
また、図４に表したように、軸支部３３は、開閉部材４２の上端及び下端に対応して設けられ、開閉部材４２の開閉動作をガイドするガイド部３３ｃ、３３ｄを有する。ガイド部３３ｃは、開閉部材４２の第１延出部４２ａの上端から上方に突出するように設けられたガイド軸４２ｄと係合し、ガイド軸４２ｄを横方向（開閉動作の移動方向）にガイドするガイド溝である。同様に、ガイド部３３ｄは、開閉部材４２の第１延出部４２ａの下端から下方に突出するように設けられたガイド軸４２ｅと係合し、ガイド軸４２ｅを横方向にガイドするガイド溝である。
【００５４】
ガイド部３３ｃ、３３ｄの構成は、上記に限ることなく、開閉部材４２の開閉動作をガイド可能な任意の構成でよい。また、この例では、開閉部材４２の上端及び下端のそれぞれに対応するガイド部３３ｃ、３３ｄを設けているが、ガイド部は、これに限ることなく、開閉部材４２の上端及び下端の少なくとも一方に対応して設けられていればよい。
【００５５】
以上、説明したように、本実施形態に係る建具１０によれば、開閉部材４２が枠体２０ではなく障子３０の軸支部３３から延出するように設けられていることから、障子３０が開いた際には開閉部材４２は障子３０とともに動くことになるため、開閉部材４２が動いた障子３０と衝突して破損してしまうことなどを抑制することができる。その上で、操作部４４は、障子３０における浴室側の軸支部３３に設けられているため、入浴者が入浴途中にミストサウナを実施しようとした場合にも、一度脱衣室側に移動する必要がなくなり、使い勝手を向上させることができる。従って、通気部４０を浴室側から開閉可能とし、使い勝手を向上させた建具１０を提供することができる。
【００５６】
また、建具１０では、開閉部材４２が、通気部４０を閉じた閉状態において、枠体２０の内側且つ枠体２０の浴室側の内壁２０ａに当接するように構成されている。これにより、開閉部材４２が動いた障子３０と衝突して破損してしまうことなどをより確実に抑制することができる。
【００５７】
また、建具１０では、障子３０の軸支部３３の回転軸ＲＡから当接部４２ｃまでの最長の距離Ｌ１が、回転軸ＲＡから枠体２０における軸支部３３と向かい合う面までの最短の距離Ｌ２よりも短い。これにより、開閉部材４２が動いた障子３０と衝突して破損してしまうことなどをより確実に抑制することができる。
【００５８】
また、建具１０では、軸支部３３が、開閉部材４２の上端及び下端の少なくとも一方に対応して設けられ、開閉部材４２の開閉動作をガイドするガイド部３３ｃ、３３ｄを有する。これにより、開閉部材４２をスムーズに開閉させることができ、使い勝手をさらに向上させることができる。
【００５９】
図５は、第１の実施形態に係る建具の変形例を模式的に表す断面図である。  
なお、上記実施形態と機能・構成上実質的に同じものについては、同符号を付し、詳細な説明は省略する。また、図５は、図３（ａ）〜図３（ｃ）と同様に、図１のＡ１−Ａ２線断面に相当する。  
図５に表したように、建具１０ａは、連動部５０をさらに備える。連動部５０は、軸支部３３の脱衣室側に設けられ、操作部４４に連動する。
【００６０】
連動部５０は、例えば、軸支部３３において障子３０を閉じ位置にした状態で脱衣室側を向く面に設けられる。連動部５０は、軸５２を介して開閉部材４２と接続されている。連動部５０は、例えば、横方向にスライド移動可能に軸支部３３に取り付けられている。軸支部３３は、連動部５０をスライド移動させるためのスリット部３３ｅをさらに有する。
【００６１】
軸５２の一端は、軸支部３３内において第１延出部４２ａと接続されている。軸５２は、障子３０が閉じ位置にある状態において、前後方向に延びる。軸５２の他端は、スリット部３３ｅに挿通され、スリット部３３ｅを介して連動部５０と接続されている。
【００６２】
これにより、操作部４４を操作し、開閉部材４２をスライド移動させると、これに連動して連動部５０もスライド移動する。また、上記と反対に、連動部５０を脱衣室側から操作することによって、開閉部材４２及び操作部４４をスライド移動させることもできる。操作部４４は、換言すれば、浴室側に設けられた第１操作部であり、連動部５０は、換言すれば、脱衣室側に設けられた第２操作部である。但し、連動部５０の構成は、上記に限ることなく、操作部４４に連動する任意の構成でよい。
【００６３】
このように、連動部５０を設けることにより、脱衣室にいる人が、連動部５０を視認することで、開閉部材４２の開閉の状態を認識することができる。例えば、入浴者が入浴中である際に、ミストサウナを実施している可能性があることを、連動部５０の状態を視認することで、脱衣室にいる人に認識させることができる。これにより、ミストサウナの実施中に誤って障子３０を開けてしまい、ミストを脱衣室側に漏らしてしまうなどの事態の発生を抑制することができる。さらには、入浴前などに連動部５０を操作することによって、脱衣室側から開閉部材４２を操作することもでき、より使い勝手を向上させることができる。
【００６４】
（第２の実施形態）
図６（ａ）〜図６（ｃ）は、第２の実施形態に係る建具の一部を模式的に表す断面図である。  
図６（ａ）〜図６（ｃ）は、図３（ａ）〜図３（ｃ）と同様に、図１のＡ１−Ａ２線断面に相当する。  
図６（ａ）〜図６（ｃ）に表したように、本実施形態に係る建具１００では、開閉部材１４２が、通気部４０を閉じた閉状態において、枠体２０の外側且つ枠体２０の脱衣室側の外壁２０ｇに当接するように構成されている。
【００６５】
開閉部材１４２は、例えば、上下方向及び前後方向に延びる平板状である。開閉部材１４２は、例えば、横方向にスライド移動することにより、閉状態と開状態とに移動する。軸支部３３は、開閉部材１４２をスライド移動させるためのスリット部３３ｆを有する。スリット部３３ｆは、障子３０が閉じ位置にある状態において、脱衣室側を向く面に設けられる。また、この例では、軸支部３３において上記実施形態のスリット部３３ａが省略されている。
【００６６】
操作部４４は、軸４６を介して開閉部材１４２と接続されている。軸４６の一端は、軸支部３３内において開閉部材１４２の浴室側の端部と接続されている。軸４６は、障子３０が閉じ位置にある状態において、前後方向に延びる。軸４６の他端は、スリット部３３ｂに挿通され、スリット部３３ｂを介して操作部４４と接続されている。
【００６７】
これにより、障子３０が閉じ位置にある状態において、操作部４４を操作し、開閉部材１４２、操作部４４、及び軸４６を紙面右側にスライド移動させることで、開閉部材１４２の脱衣室側の端部が枠体２０の脱衣室側の外壁２０ｇに当接し、開閉部材１４２が閉状態となる。従って、この例では、開閉部材１４２の脱衣室側の端部が、閉状態において枠体２０に当接する当接部１４２ａとなる。
【００６８】
そして、開閉部材１４２が閉状態にある状態において、操作部４４を操作し、開閉部材１４２、操作部４４、及び軸４６を紙面左側にスライド移動させることで、開閉部材１４２の脱衣室側の端部が枠体２０の脱衣室側の外壁２０ｇから離間し、開閉部材１４２が開状態となる。
【００６９】
この建具１００においても、軸支部３３は、上記第１の実施形態と同様に、開閉部材４２の上端及び下端に対応して設けられ、開閉部材４２の開閉動作をガイドするガイド部３３ｃ、３３ｄを有する。これにより、上記のように、開閉部材１４２をスムーズに開閉させることができ、使い勝手を向上させることができる。
【００７０】
また、建具１００では、操作部４４が、障子３０が開口部２２を閉じ、且つ開閉部材１４２が通気部４０を閉じた状態において、当接部１４２ａよりも枠体２０から離れ、当接部１４２ａに対して横方向において所定間隔ＧＰ離れた位置に設定されている。
【００７１】
本実施形態に係る建具１００では、開閉部材１４２が、通気部４０を閉じた閉状態において、枠体２０の外側且つ枠体２０の脱衣室側の外壁２０ｇに当接するように構成されている。これにより、開閉部材１４２が動いた障子３０と衝突して破損してしまうことなどをより確実に抑制することができる。このように、開閉部材の構成は、上記に限ることなく、障子３０の軸支部３３から延出するように設けられ、通気部４０を開閉可能な任意の構成でよい。
【００７２】
また、建具１００では、操作部４４が、障子３０が開口部２２を閉じ、且つ開閉部材１４２が通気部４０を閉じた状態において、当接部１４２ａよりも枠体２０から離れ、当接部１４２ａに対して横方向において所定間隔ＧＰ離れた位置に設定されている。これにより、指の入る隙間などを適切に確保することができ、操作部４４をより操作し易くすることができる。また、例えば、操作部４４の操作中に脱衣所側から誤って障子３０が開かれた場合にも、入浴者の指が枠体２０と操作部４４との間に挟まってしまうことを抑制することができる。
【００７３】
図７は、第２の実施形態に係る建具の変形例を模式的に表す断面図である。  
図７は、図６（ａ）〜図６（ｃ）と同様に、図１のＡ１−Ａ２線断面に相当する。  
図７に表したように、建具１００ａは、軸支部３３の脱衣室側に設けられ、操作部４４に連動する連動部５０をさらに備える。連動部５０は、例えば、開閉部材１４２に取り付けられ、開閉部材１４２を介して操作部４４と連動する。このように、建具１００の構成において、さらに連動部５０を設けてもよい。これにより、上記のように、連動部５０を視認させることで、開閉部材１４２の開閉の状態を脱衣室にいる人に認識させることができるとともに、脱衣室側から開閉部材１４２を操作することもでき、使い勝手を向上させることができる。
【００７４】
図８は、第２の実施形態に係る建具の変形例を模式的に表す断面図である。  
図８は、図６（ａ）〜図６（ｃ）と同様に、図１のＡ１−Ａ２線断面に相当する。  
図８に表したように、建具１００ｂでは、障子３０が、開口部２２を閉じた状態において軸支部３３から枠体２０に向かって延出し、少なくとも一部が通気部４０内に位置する延出部６０を、さらに有する。
【００７５】
このように、延出部６０を設けることにより、シャワーから吐水された水など、浴室側からの水が通気部４０の部分にかかったとしても、通気部４０を通じて脱衣室側へ入り込んでしまうことを抑制することができる。すなわち、開閉部材１４２が通気部４０を閉じた閉状態において、枠体２０の外側且つ枠体２０の脱衣室側の外壁２０ｇに当接する建具１００ｂであっても、少なくとも一部が通気部４０内に位置する延出部６０によって、開閉部材１４２が通気部４０を開いた開状態においても、浴室側からの水が脱衣室側へ入り込んでしまうことを抑制することができる。
【００７６】
延出部６０は、例えば、第１部分６０ａと、第２部分６０ｂと、を有する。第１部分６０ａは、障子３０が閉じ位置にある状態において、通気部４０に向かって延びる。第２部分６０ｂは、障子３０が閉じ位置にある状態において、第１部分６０ａの通気部４０側の端部から前後方向に延びる。この例において、第２部分６０ｂは、障子３０が閉じ位置にある状態において、浴室側に向かって延びる。第１部分６０ａの通気部４０側の端部は、通気部４０内に位置する。第２部分６０ｂは、通気部４０内に位置する。
【００７７】
このように、第１部分６０ａ及び第２部分６０ｂを設けることにより、通気部４０の部分の水の通り抜けを、より確実に抑制することができる。但し、延出部６０の構成は、上記に限ることなく、通気部４０の部分の水の通り抜けを抑制可能な任意の構成でよい。
【００７８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、建具１０、１００などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７９】
１０、１０ａ 建具、  ２０ 枠体、  ２２ 開口部、  ２４ 隣接部、  ３０ 障子、  ３１ 第１扉部、  ３２ 第２扉部、  ３３ 軸支部、  ３４ 戸先部、  ４０ 通気部、  ４２ 開閉部材、  ４４ 操作部、  ４６ 軸、  ５０ 連動部、  ５２ 軸、  ６０ 延出部、  １００、１００ａ、１００ｂ 建具、  １４２ 開閉部材
【図１】
2019143437.tif 000003
【図２】
2019143437.tif 000004
【図３】
2019143437.tif 000005
【図４】
2019143437.tif 000006
【図５】
2019143437.tif 000007
【図６】
2019143437.tif 000008
【図７】
2019143437.tif 000009
【図８】
2019143437.tif 000010